(57)【要約】【課題】本発明は、木質壁の上又は下に設備材を通すことができる木質壁固定構造を提供することを目的とする。【解決手段】木質壁固定構造２０は、木質壁１４と、木質壁１４の厚み方向を軸方向として配置される複数の筒状部４０を有し、木質壁１４の下端部１４Ｌが固定される下側固定金物３０Ｌと、を備える。【選択図】図１
2019019597.tif 000002
【特許請求の範囲】
【請求項１】
木質壁と、
前記木質壁の厚み方向を軸方向として配置される複数の筒状部を有し、前記木質壁の上下方向の端部が固定される固定金物と、
を備える木質壁固定構造。
【請求項２】
前記筒状部の内部には、設備材が貫通される、
請求項１に記載の木質壁固定構造。
【請求項３】
複数の前記筒状部のうち一の前記筒状部には、前記木質壁の前記端部から突出するネジ部材が、該筒状部の内部に配置されたナットによって固定され、
複数の前記筒状部のうち他の前記筒状部の内部には、設備材が貫通される、
請求項１又は請求項２に記載の木質壁固定構造。
【請求項４】
前記固定金物は、前記木質壁の幅方向の一端部から他端部に亘る、
請求項１〜請求項３の何れか１項に記載の木質壁固定構造。
【発明の詳細な説明】
【技術分野】
【０００１】
本発明は、木質壁固定構造に関する。
【背景技術】
【０００２】
木質壁の上下に設けられ、木質壁を貫通するボルトが固定される固定金物（ボックス金物）が知られている（例えば、特許文献１参照）。
【先行技術文献】
【特許文献】
【０００３】
【特許文献１】特開２００８−２５５６２７号公報
【発明の概要】
【発明が解決しようとする課題】
【０００４】
ところで、木質壁の上又は下に、配管等の設備材を通したいとの要望がある。
【０００５】
本発明は、上記の事実を考慮し、木質壁の上又は下に設備材を通すことができる木質壁固定構造を提供することを目的とする。
【課題を解決するための手段】
【０００６】
請求項１に記載の木質壁固定構造は、木質壁と、前記木質壁の厚み方向を軸方向として配置される複数の筒状部を有し、前記木質壁の上下方向の端部が固定される固定金物と、を備える。
【０００７】
請求項１に係る木質壁固定構造によれば、木質壁の上下方向の端部には、固定金物が固定される。固定金物は、複数の筒状部を有する。複数の筒状部は、閉断面を成すため、固定金物の潰れ等が抑制される。
【０００８】
また、筒状部は、木質壁の厚み方向を軸方向として配置される。これにより、木質壁の上又は下に、設備材の設置スペースを確保することができる。したがって、木質壁の上又は下に、設備材を容易に通すことができる。
【０００９】
請求項２に記載の木質壁固定構造は、請求項１に記載の木質壁固定構造において、前記筒状部の内部には、設備材が貫通される。
【００１０】
請求項２に係る木質壁固定構造によれば、筒状部に設備材を貫通させることにより、木質壁の上又は下に設備材を容易に通すことができる。
【００１１】
請求項３に記載の木質壁固定構造は、請求項１又は請求項２に記載の木質壁固定構造において、複数の前記筒状部のうち一の前記筒状部には、前記木質壁の前記端部から突出するネジ部材が、該筒状部の内部に配置されたナットによって固定され、複数の前記筒状部のうち他の前記筒状部の内部には、設備材が貫通される。
【００１２】
請求項３に係る木質壁固定構造によれば、複数の筒状部のうち一の筒状部には、木質壁の端部から突出するネジ部材が、筒状部の内部に配置されたナットによって固定される。これにより、木質壁の端部を固定金物に容易に固定することができる。
【００１３】
ここで、一の筒状部の内部にナットを配置すると、一の筒状部の内部に設備材を通し難くなる。
【００１４】
そこで、本発明では、複数の筒状部のうち他の筒状部の内部に設備材を貫通させる。これにより、木質壁の上又は下に設備材を容易に通すことができる。
【００１５】
請求項４に記載の木質壁固定構造は、請求項１〜請求項３の何れか１項に記載の木質壁固定構造において、前記固定金物は、前記木質壁の幅方向の一端部から他端部に亘る。
【００１６】
請求項４に係る木質壁固定構造によれば、固定金物は、木質壁の幅方向の一端部から他端部に亘る。これにより、固定金物によって、木質壁の端部を略全長に亘って支持することができる。
【発明の効果】
【００１７】
以上説明したように、本発明に係る木質壁固定構造によれば、木質壁の上又は下に設備材を通すことができる。
【図面の簡単な説明】
【００１８】
【図１】一実施形態に係る木質壁固定構造が適用された木質壁を示す正面図である。
【図２】下側固定金物を示す図１の一部拡大正面図である。
【図３】図１の３−３線断面図である。
【図４】図１の４−４線断面図である。
【図５】一実施形態に係る下側固定金物の変形例を示す図３に相当する断面図である。
【図６】一実施形態に係る下側固定金物の変形例を示す図４に相当する断面図である。
【図７】一実施形態に係る下側固定金物の変形例を示す図４に相当する断面図である。
【図８】一実施形態に係る下側固定金物の変形例を示す図１の一部拡大図に相当する正面図である。
【発明を実施するための形態】
【００１９】
以下、図面を参照しながら、一実施形態に係る木質壁固定構造について説明する。
【００２０】
（構造物）
図１には、本実施形態に係る木質壁固定構造２０が適用された木質壁１４を備える構造物１０が示されている。構造物１０は、例えば、木造の壁式構造とされている。この構造物１０は、基礎スラブ１２と、複数の木質壁１４，１８と、木質床１６とを備えている。
【００２１】
基礎スラブ１２は、例えば、鉄筋コンクリート造とされている。この基礎スラブ１２の上には、複数の木質壁１４が立てられている。複数の木質壁１４は、各々の幅方向（矢印Ｗ方向）に配列されており、構造物１０の一階Ｆ１の壁を構成している。これらの木質壁１４の上には、木質床１６が載置されている。なお、基礎スラブ１２は、基礎の一例である。
【００２２】
木質床１６は、構造物１０の二階Ｆ２の床を構成している。この木質床１６の上には、複数の木質壁１８が立てられている。複数の木質壁１８は、各々の幅方向に配列されており、構造物１０の二階Ｆ２の壁を構成している。これらの木質壁１４，１８及び木質床１６は、例えば、ＣＬＴ（Cross Laminated Timber）やＬＶＬ（Laminated Veneer Lumber）、集成材、合板等の木質面材（木質パネル材）によって形成される。
【００２３】
（木質壁固定構造）
図１に示されるように、木質壁固定構造２０は、構造物１０の一階Ｆ１に配置された３枚の木質壁１４のうち、中央の木質壁１４に適用されている。この木質壁固定構造２０は、木質壁１４と、下側固定金物３０Ｌと、上側固定金物３０Ｕとを備えている。
【００２４】
下側固定金物３０Ｌ及び上側固定金物３０Ｕは、木質壁１４を他の部材（被固定部材）に固定するための金物である。下側固定金物３０Ｌは、木質壁１４の下に配置されている。つまり、木質壁１４は、下側固定金物３０Ｌの上に載置されている。この下側固定金物３０Ｌは、木質壁１４の下端部１４Ｌに固定されるとともに、基礎スラブ１２に固定されている。換言すると、木質壁１４は、下側固定金物３０Ｌを介して基礎スラブ１２に固定されている。
【００２５】
一方、上側固定金物３０Ｕは、木質壁１４の上に配置されている。また、上側固定金物３０Ｕの上には、木質床１６及び二階Ｆ２の木質壁１８が配置されている。つまり、木質床１６及び二階Ｆ２の木質壁１８は、上側固定金物３０Ｕを介して一階Ｆ１の木質壁１４に支持されている。この上側固定金物３０Ｕは、木質壁１４の上端部１４Ｕに固定されるとともに、木質床１６及び二階Ｆ２の木質壁１８に固定されている。換言すると、木質壁１４の上端部１４Ｕは、上側固定金物３０Ｕを介して木質床１６及び二階Ｆ２の木質壁１８に固定されている。
【００２６】
なお、下側固定金物３０Ｌ及び上側固定金物３０Ｕは、同じ構成とされている。したがって、以下では、下側固定金物３０Ｌについて説明し、上側固定金物３０Ｕの説明は適宜省略する。
【００２７】
図２に示されるように、下側固定金物３０Ｌは、木質壁１４の幅方向の一端部１４Ｓ１から他端部１４Ｓ２に亘って設けられている。この下側固定金物３０Ｌは、金物本体３２と、複数の仕切壁部３４とを有している。
【００２８】
金物本体３２は、全体として、木質壁１４の幅方向（矢印Ｗ方向）を長手方向とした直方体状に形成されている。また、金物本体３２は、木質壁１４の厚み方向（図３の矢印Ｔ方向）両側が開口された箱状に形成されている。
【００２９】
金物本体３２は、木質壁１４の上下方向（矢印Ｈ方向）に対向する下壁部３２Ｌ及び上壁部３２Ｕと、木質壁１４の幅方向（矢印Ｗ方向）に対向する一対の側壁部３２Ｓとを有している。この下壁部３２Ｌと上壁部３２Ｕとは、一対の側壁部３２Ｓを介して接続されている。これらの下壁部３２Ｌ、上壁部３２Ｕ、及び一対の側壁部３２Ｓは、矩形状の閉断面を形成している。また、金物本体３２の内部には、複数の仕切壁部３４が設けられている。
【００３０】
複数の仕切壁部３４は、木質壁１４の幅方向に互いに対向して配置されており、下壁部３２Ｌと上壁部３２Ｕとを接続している。これらの仕切壁部３４によって、金物本体３２の内部（内部空間）が、木質壁１４の幅方向に仕切られている。これにより、下側固定金物３０Ｌに、複数の筒状部４０が形成されている。
【００３１】
複数の筒状部４０は、木質壁１４の幅方向に並んで配置されている。また、隣り合う筒状部４０は、仕切壁部３４を共有している。また、図３に示されるように、複数の筒状部４０は、筒状に形成されている。これらの筒状部４０は、木質壁１４の厚み方向（矢印Ｔ方向）を軸方向として配置されている。つまり、筒状部４０は、木質壁１４の厚み方向両側に開口４２を有している。
【００３２】
なお、以下では、複数の筒状部４０のうち、必要に応じて下側固定金物３０Ｌの端部に位置する筒状部４０を端部筒状部４０Ｅとし、下側固定金物３０Ｌにおける端部以外の中間部に位置する筒状部４０を中間筒状部４０Ｍとして説明する。また、端部筒状部４０Ｅは、一の筒状部４０の一例であり、中間筒状部４０Ｍは他の筒状部４０の一例である。
【００３３】
端部筒状部４０Ｅは、下壁部３２Ｌ、上壁部３２Ｕ、側壁部３２Ｓ、及び仕切壁部３４によって形成されている。また、中間筒状部４０Ｍは、下壁部３２Ｌ、上壁部３２Ｕ、及び一対の仕切壁部３４によって形成されている。これらの端部筒状部４０Ｅ及び中間筒状部４０Ｍは、矩形状の閉断面を形成している。
【００３４】
なお、筒状部（貫通部）４０の形状は、細長い管状に限らず、後述する配管４６を貫通可能な閉断面を形成していれば良い。
【００３５】
図３に示されるように、端部筒状部４０Ｅは、アンカー部材５０によって基礎スラブ１２に固定されている。具体的には、アンカー部材５０の下端部は、基礎スラブ１２に埋設されている。
【００３６】
一方、アンカー部材５０の上端部は、基礎スラブ１２から上方へ延出している。また、アンカー部材５０の上端部は、端部筒状部４０Ｅの下壁部３２Ｌに形成された貫通孔３６を介して端部筒状部４０Ｅの内部に配置されている。このアンカー部材５０の上端部に、座金等を介してナット５２を締め込むことにより、筒状部４０が基礎スラブ１２に固定されている。このアンカー部材５０は、下側固定金物３０Ｌと基礎スラブ１２との間で、主として曲げモーメントを伝達する。
【００３７】
下側固定金物３０Ｌの下壁部３２Ｌには、せん断力伝達部材としての複数のスタッド５４が適宜設けられている。これらのスタッド５４は、基礎スラブ１２に埋設されており、下側固定金物３０Ｌと基礎スラブ１２との間で、主としてせん断力を伝達する。なお、スタッド５４は、必要に応じて設ければ良く、適宜省略可能である。
【００３８】
また、端部筒状部４０Ｅは、ネジ部材としての引きボルト６０を介して木質壁１４の下端部１４Ｌに固定されている。具体的には、引きボルト６０の下端部は、端部筒状部４０Ｅの上壁部３２Ｕに形成された貫通孔３８を介して筒状部４０の内部に配置されている。この引きボルト６０の下端部に、図示しない座金等を介してナット６２を締め込むことにより、引きボルト６０の下端部が端部筒状部４０Ｅに固定されている。
【００３９】
一方、引きボルト６０の上端部は、木質壁１４の下面に形成された取付孔２２に挿入されている。この引きボルト６０の上端部は、木質壁１４に形成された矩形状の開口部（作業開口部）２４から露出されている。この引きボルト６０の上端部に、座金６４を介してナット６６を締め込むことにより、木質壁１４の下端部１４Ｌが端部筒状部４０Ｅに固定されている。この引きボルト６０は、木質壁１４と下側固定金物３０Ｌとの間で、主として引張力を伝達する。
【００４０】
なお、下側固定金物３０Ｌと木質壁１４とは、例えば、主としてせん断力を伝達する金物等を介して適宜接合しても良い。
【００４１】
図２及び図４に示されるように、下側固定金物３０Ｌの中間に位置する中間筒状部４０Ｍの内部には、設備材としての配管４６が貫通されている。
【００４２】
図１に示されるように、上側固定金物３０Ｕの端部筒状部４０Ｅは、下側固定金物３０Ｌと同様に、ネジ部材としての引きボルト７０及びナットによって、木質壁１４の上端部１４Ｕに固定されている。また、上側固定金物３０Ｕの端部筒状部４０Ｅは、ネジ部材としての引きボルト８０及びナットを介して木質床１６及び二階Ｆ２の木質壁１８に固定されている。
【００４３】
また、上側固定金物３０Ｕの中間筒状部４０Ｍには、設備材としての配管４６が貫通されている。
【００４４】
（作用）
次に、本実施形態の作用について説明する。
【００４５】
（下側固定金物）
図２に示されるように、本実施形態に係る木質壁固定構造２０によれば、木質壁１４の下端部１４Ｌは、引きボルト６０及びナット６２によって下側固定金物３０Ｌの端部筒状部４０Ｅに固定されている。また、下側固定金物３０Ｌの端部筒状部４０Ｅは、アンカー部材５０及びナット５２を介して基礎スラブ１２に固定されている。これにより、木質壁１４の下端部１４Ｌが、下側固定金物３０Ｌを介して基礎スラブ１２に固定されている。
【００４６】
また、下側固定金物３０Ｌは、木質壁１４の幅方向の一端部１４Ｓ１から他端部１４Ｓ２に亘って配置されている。これにより、下側固定金物３０Ｌによって、木質壁１４の下端部１４Ｌが略全長に亘って支持されている。
【００４７】
ここで、下側固定金物３０Ｌは、複数の筒状部４０を有している。これらの筒状部４０は、閉断面を形成している。したがって、木質壁１４の重量等により、下側固定金物３０Ｌの潰れ等が抑制される。
【００４８】
また、下側固定金物３０Ｌの筒状部４０は、木質壁１４の厚み方向を軸方向として配置されている。これにより、木質壁１４の下に、配管４６の設置スペースを確保することができる。したがって、木質壁１４の下に配管４６を容易に通すことができる。
【００４９】
ここで、下側固定金物３０Ｌの端部筒状部４０Ｅの内部には、引きボルト６０の下端部及びナット６２が配置されるとともに、アンカー部材５０の上端部及びナット５２が配置されている。この場合、端部筒状部４０Ｅの内部には、配管４６等を通し難くなる。そのため、本実施形態では、下側固定金物３０Ｌの中間筒状部４０Ｍの内部に、配管４６を貫通させている。これにより、木質壁１４の下に配管４６を容易に通すことができる。
【００５０】
（上側固定金物）
上記と同様に、木質壁１４の上端部１４Ｕは、引きボルト７０等によって上側固定金物３０Ｕの端部筒状部４０Ｅに固定されている。また、上側固定金物３０Ｕの端部筒状部４０Ｅは、引きボルト８０等によって、木質床１６及び上側の木質壁１８に固定されている。これにより、木質壁１４が、上側固定金物３０Ｕを介して木質床１６及び上側の木質壁１８に固定されている。
【００５１】
また、上側固定金物３０Ｕは、木質壁１４の幅方向の一端部１４Ｓ１から他端部１４Ｓ２に亘って配置されている。これにより、上側固定金物３０Ｕによって、木質壁１４の上端部１４Ｕが略全長に亘って支持されている。
【００５２】
ここで、上側固定金物３０Ｕは、複数の筒状部４０を有している。これらの筒状部４０は、閉断面を形成している。したがって、木質床１６及び木質壁１８の重量等により、上側固定金物３０Ｕの潰れ等が抑制される。
【００５３】
さらに、上側固定金物３０Ｕの筒状部４０は、木質壁１４の厚み方向を軸方向として配置されている。これにより、木質壁１４の上に、配管４６の設置スペースを確保することができる。したがって、木質壁１４の上に配管４６を容易に通すことができる。
【００５４】
また、本実施形態では、上側固定金物３０Ｕの中間筒状部４０Ｍの内部に、配管４６を貫通させている。これにより、木質壁１４の上に配管４６を容易に通すことができる。
【００５５】
（変形例）
次に、上記実施形態の変形例について説明する。なお、以下では、木質壁１４の下端部１４Ｌ及び下側固定金物３０Ｌを例に各種の変形例について説明するが、これらの変形例は、木質壁１４の上端部１４Ｕ及び上側固定金物３０Ｕにも適宜適用可能である。
【００５６】
図５に示される変形例のように、配管が貫通されない下側固定金物３０Ｌの端部筒状部４０Ｅには、一対の補強板９０を設けても良い。具体的には、一対の補強板９０は、金属板等によって矩形状に形成されている。また、一対の補強板９０は、端部筒状部４０Ｅの両側の開口４２を塞ぐように配置されている。この一対の補強板９０によって、下側固定金物３０Ｌのせん断変形が抑制されている。
【００５７】
なお、下側固定金物３０Ｌに、配管が貫通されない中間筒状部４０Ｍがある場合には、この中間筒状部４０Ｍにも補強板９０を設けても良い。
【００５８】
また、上記実施形態では、木質壁１４の下端部１４Ｌが引きボルト６０及びナット６２によって下側固定金物３０Ｌの端部筒状部４０Ｅに固定されるが、上記実施形態はこれに限らない。木質壁１４の下端部１４Ｌは、例えば、引きボルト６０等によって中間筒状部４０Ｍに固定しても良い。
【００５９】
また、上記実施形態では、木質壁１４の下端部１４Ｌと下側固定金物３０Ｌとを引きボルト６０で固定したが、上記実施形態はこれに限らない。木質壁１４の下端部１４Ｌと下側固定金物３０Ｌとは、例えば、グルード・イン・ロッド（ＧＩＲ）やラグスクリュー、ドリフトピン等によって固定しても良い。
【００６０】
また、例えば、図６に示される変形例のように、木質壁１４の両側に配置された一対のブラケット１０２を介して木質壁１４の下端部１４Ｌに下側固定金物１００Ｌを固定しても良い。なお、下側固定金物１００Ｌは、固定金物の一例である。
【００６１】
具体的には、下側固定金物１００Ｌの軸方向の長さは、木質壁１４の厚み（壁厚）よりも長くされている。また、下側固定金物１００Ｌの上壁部３２Ｕは、木質壁１４の下端部１４Ｌから厚み方向両側へ張り出している。この下側固定金物３０Ｌの上壁部３２Ｕと木質壁１４の下端部１４Ｌとが成す隅部に沿ってブラケット１０２が配置されている。
【００６２】
ブラケット１０２の一方のフランジ部１０２Ａは、下側固定金物１００Ｌの上壁部３２Ｕに重ねられた状態で、当該上壁部３２Ｕに溶接等によって固定されている。また、ブラケット１０２の他方のフランジ部１０２Ｂは、木質壁１４の表面に重ねられた状態で、当該木質壁１４にラグスクリュー等の接合部材１０４によって固定されている。この一対のブラケット１０２を介して、木質壁１４の下端部１４Ｌが下側固定金物１００Ｌに固定されている。
【００６３】
また、例えば、図７に示される変形例のように、下側固定金物３０Ｌの上壁部３２Ｕに設けられた一対のフランジ部１１０に、木質壁１４の下端部１４Ｌを固定しても良い。
【００６４】
具体的には、一対のフランジ部１１０は、木質壁１４の両側に配置されている。各フランジ部１１０は、下側固定金物３０Ｌの上壁部３２Ｕから木質壁１４の表面に沿って上方へ延出されており、ラグスクリュー等の接合部材１１２によって木質壁１４の下端部１４Ｌに固定されている。
【００６５】
ここで、図６及び図７に示される変形例の場合、筒状部４０の内部にナット等が配置されない。したがって、筒状部４０の内部に、配管４６等の設置スペースを広く確保することができる。
【００６６】
なお、下側固定金物３０Ｌと基礎スラブ１２との固定構造も、アンカー部材５０及びナット５２に限らず、適宜変更可能である。
【００６７】
また、上記実施形態では、下側固定金物３０Ｌが基礎スラブ１２に固定されるが、上記実施形態はこれに限らない。下側固定金物３０Ｌは、例えば、フーチング及びスラブ等のコンクリート部材や、木質床及び木質壁等の木質部材、鉄骨等の鋼製部材に固定することができる。これと同様に、上側固定金物３０Ｕは、コンクリート部材や、木質部材、鋼製部材に固定することができる。
【００６８】
また、上記実施形態では、下側固定金物３０Ｌの複数の筒状部４０が一体に形成されるが、上記実施形態はこれに限らない。例えば、図８に示される変形例のように、複数の筒状体（ボックス金物）１２２を木質壁１４の幅方向に連続させることにより、下側固定金物１２０Ｌを形成しても良い。この際、隣り合う筒状体１２２は、接合しても良いし、接合しなくても良い。なお、筒状体１２２は、筒状部の一例である。
【００６９】
また、上記実施形態では、下側固定金物３０Ｌに４つの筒状部４０が設けられるが、上記実施形態はこれに限らない。固定金物には、少なくとも２つの筒状部を設けることができる。また、固定金物に２つの筒状部を設けた場合には、２つの筒状部のうち一方の筒状が一の筒状部に相当し、２つの筒状のうち他方の筒状部が、他の筒状部に相当する。
【００７０】
また、上記実施形態では、木質壁１４の下端部１４Ｌに下側固定金物３０Ｌが固定され、木質壁１４の上端部１４Ｕに上側固定金物３０Ｕが固定されるが、上記実施形態はこれに限らない。固定金物は、木質壁１４の上端部１４Ｕ及び下端部１４Ｌの少なくとも一方に設けることができる。なお、木質壁１４の上端部１４Ｕ及び下端部１４Ｌは、木質壁の上下方向の端部の一例である。
【００７１】
また、上記実施形態では、下側固定金物３０Ｌが木質壁１４の幅方向の一端部１４Ｓ１から他端部１４Ｓ２に亘るが、上記実施形態はこれに限らない。固定金物は、例えば、木質壁１４の上下方向の端部に、部分的に設けられても良い。
【００７２】
また、上記実施形態では、配管４６が中間筒状部４０Ｍに貫通されるが、配管は、例えば、端部筒状部４０Ｅに貫通されても良い。
【００７３】
また、上記実施形態では、下側固定金物３０Ｌに配管４６を貫通させたが、上記実施形態はこれに限らない。下側固定金物３０Ｌには、配線やダクト等の種々の設備材を貫通させることができる。
【００７４】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００７５】
１４      木質壁
１４Ｕ    上端部（木質壁の上下方向の端部）
１４Ｌ    下端部（木質壁の上下方向の端部）
１４Ｓ１  一端部（木質壁の幅方向の一端部）
１４Ｓ２  他端部（木質壁の幅方向の他端部）
２０      木質壁固定構造
３０Ｌ    下側固定金物（固定金物）
３０Ｕ    上側固定金物（固定金物）
４０      筒状部
４０Ｅ    端部筒状部（一の筒状部）
４０Ｍ    中間筒状部（他の筒状部）
４６      配管（設備材）
６０      引きボルト（ボルト部材）
６２      ナット
１００Ｌ  下側固定金物（固定金物）
１２０Ｌ  下側固定金物（固定金物）
１２２    筒状体（筒状部）
【図１】
2019019597.tif 000003
【図２】
2019019597.tif 000004
【図３】
2019019597.tif 000005
【図４】
2019019597.tif 000006
【図５】
2019019597.tif 000007
【図６】
2019019597.tif 000008
【図７】
2019019597.tif 000009
【図８】
2019019597.tif 000010